(57)【特許請求の範囲】
【請求項１】
基地局におけるハンドオーバの方法であって、
ａ．  ユーザ機器にハンドオーバ・コマンドを送信するステップであって、前記ハンドオーバ・コマンドは、Ｐセル、および前記Ｐセルとは異なるタイミング・アドバンスを必要とするＳセルを指示するための情報を含む、送信するステップと、
ｂ．  前記Ｐセル、および前記Ｐセルとは異なるタイミング・アドバンスを必要とする前記Ｓセルにおいて前記ユーザ機器がランダム・アクセスに成功するのに応じて、対応するタイミング・アドバンスを指示するための情報を前記ユーザ機器に送信するステップと、
ｃ．  前記Ｐセルにおいて前記ユーザ機器が前記ランダム・アクセスに失敗し、少なくとも１つのＳセルにおいてランダム・アクセスに成功した場合には、前記Ｐセルを変更するか否かを判断するステップと、
ｄ．  前記Ｐセルを変更すると判断された場合には、新たなＰセルを指示するための無線リソース制御層シグナリングを前記ユーザ機器に送信するステップと
を含む、方法。
【請求項２】
基地局におけるハンドオーバの方法であって、
ａ’．  ユーザ機器にハンドオーバ・コマンドを送信するステップであって、前記ハンドオーバ・コマンドは、Ｐセル、および前記Ｐセルとは異なるタイミング・アドバンスを必要とするＳセルを指示するための情報を含む、送信するステップと、
ｂ’．  前記Ｐセル、および前記Ｐセルとは異なるタイミング・アドバンスを必要とする前記Ｓセルにおいて前記ユーザ機器がランダム・アクセスに成功するのに応じて、対応するタイミング・アドバンスを指示するための情報を前記ユーザ機器に送信するステップと、
ｃ’．  前記Ｐセルにおいて前記ユーザ機器が前記ランダム・アクセスに失敗し、少なくとも１つのＳセルにおいてランダム・アクセスに成功した場合には、前記Ｐセルを変更するか否かを判断するステップと、
ｄ’．  前記Ｐセルを変更しないと判断された場合には、無線リソース制御層接続を再確立するように前記ユーザ機器に指示するための無線リソース制御層シグナリングを前記ユーザ機器に送信するステップと
を含む、方法。
【請求項３】
ユーザ機器におけるハンドオーバの方法であって、
Ａ．  ターゲット基地局からハンドオーバ・コマンドを受信するステップであって、前記ハンドオーバ・コマンドは、Ｐセル、および前記Ｐセルとは異なるタイミング・アドバンスを必要とするＳセルを指示するための情報を含む、受信するステップと、
Ｂ．  前記Ｐセル、および前記Ｐセルとは異なるタイミング・アドバンスを必要とする前記Ｓセルにおいてランダム・アクセスを実行するステップであって、前記Ｐセルにおける前記ランダム・アクセスが失敗し、少なくとも１つのＳセルにおけるランダム・アクセスが成功した場合には、前記ターゲット基地局が前記Ｐセルを変更するか否かを判断する、実行するステップと、
Ｃ．  前記Ｐセルを変更すると判断された場合には、新たなＰセルを指示するための無線リソース制御層シグナリングを前記ターゲット基地局から受信し、前記Ｐセルを変更しないと判断された場合には、無線リソース制御層接続を再確立するように前記ユーザ機器に指示するための無線リソース制御層シグナリングを前記ターゲット基地局から受信するステップと
を含む、方法。
【請求項４】
前記ステップＢにおいて、前記Ｐセル、および前記Ｐセルとは異なるタイミング・アドバンスを必要とする前記Ｓセルにおいて並行してランダム・アクセスを実行することを特徴とする、請求項３に記載の方法。
【請求項５】
前記ステップＢにおいて、前記Ｐセル、および前記Ｐセルとは異なるタイミング・アドバンスを必要とする前記Ｓセルにおいて逐次的にランダム・アクセスを実行することを特徴とする、請求項３に記載の方法。
【請求項６】
前記Ｐセルにおいてランダム・アクセスに成功するときに、前記Ｐセルを通してハンドオーバ完了コマンドを送信するステップ
をさらに含むことを特徴とする、請求項３に記載の方法。
【請求項７】
前記Ｐセルおよび前記Ｓセルにおいて少なくとも１つのランダム・アクセスに成功するときに、前記ランダム・アクセスに成功した前記Ｐセルまたは前記Ｓセルを通してハンドオーバ完了コマンドを送信するステップ
をさらに含むことを特徴とする、請求項３に記載の方法。
【請求項８】
前記Ｐセル、および前記Ｐセルとは異なるタイミング・アドバンスを必要とする前記Ｓセルの両方においてランダム・アクセスに失敗したときに、無線リソース制御層接続を再確立する手順を開始するステップ
をさらに含むことを特徴とする、請求項３に記載の方法。
【請求項９】
前記ターゲット基地局から無線リソース制御層接続の再確立を指示するための情報を受信するときに、前記無線リソース制御層接続を再確立する前記手順を開始するステップ
をさらに含むことを特徴とする、請求項３に記載の方法。
【請求項１０】
基地局におけるハンドオーバのための第１のハンドオーバ装置であって、
ユーザ機器にハンドオーバ・コマンドを送信するための第１の送信ユニットであって、前記ハンドオーバ・コマンドは、Ｐセル、および前記Ｐセルとは異なるタイミング・アドバンスを必要とするＳセルを指示するための情報を含む、第１の送信ユニットと、
前記Ｐセル、および前記Ｐセルとは異なるタイミング・アドバンスを必要とする前記Ｓセルにおいて前記ユーザ機器がランダム・アクセスに成功するのに応じて、対応するタイミング・アドバンスを指示するための情報を前記ユーザ機器に送信するための第２の送信ユニットと、
前記Ｐセルにおいて前記ユーザ機器が前記ランダム・アクセスに失敗し、少なくとも１つのＳセルにおいてランダム・アクセスに成功した場合には、前記Ｐセルを変更するか否かを判断するための判断ユニットと、
前記Ｐセルを変更すると判断された場合には、新たなＰセルを指示するための無線リソース制御層シグナリングを前記ユーザ機器に送信するための、そして前記Ｐセルを変更しないと判断された場合には、無線リソース制御層接続を再確立するように前記ユーザ機器に指示するための無線リソース制御層シグナリングを前記ユーザ機器に送信するための第３の送信ユニットと
を備える、第１のハンドオーバ装置。
【請求項１１】
ユーザ機器におけるハンドオーバのための第２のハンドオーバ装置であって、
ターゲット基地局からハンドオーバ・コマンドを受信するための第１の受信ユニットであって、前記ハンドオーバ・コマンドは、Ｐセル、および前記Ｐセルとは異なるタイミング・アドバンスを必要とするＳセルを指示するための情報を含む、第１の受信ユニットと、
前記Ｐセル、および前記Ｐセルとは異なるタイミング・アドバンスを必要とする前記Ｓセルにおいてランダム・アクセスを実行するためのランダム・アクセス・ユニットであって、前記Ｐセルにおける前記ランダム・アクセスが失敗し、少なくとも１つのＳセルにおけるランダム・アクセスが成功した場合には、前記ターゲット基地局が前記Ｐセルを変更するか否かを判断する、ランダム・アクセス・ユニットと、
前記Ｐセルを変更すると判断された場合には、新たなＰセルを指示するための無線リソース制御層シグナリングを前記ターゲット基地局から受信し、前記Ｐセルを変更しないと判断された場合には、無線リソース制御層接続を再確立するように前記ユーザ機器に指示するための無線リソース制御層シグナリングを前記ターゲット基地局から受信するための第２の受信ユニットと
を備える、第２のハンドオーバ装置。
【発明の詳細な説明】
【技術分野】
【０００１】
本発明は、モバイル通信技術に関し、より詳細には、キャリア・アグリゲーション・シナリオのためのユーザ・ハンドオーバ技術に関する。
【背景技術】
【０００２】
ＬＴＥ−Ａにおいて、より高いデータ転送速度の要件を満たすために、より広い帯域幅が使用され、最大帯域幅は１００ＭＨｚに達する可能性がある。後方互換性を確保するために、１００ＭＨｚ帯域幅は、複数の搬送波成分に分割され、各搬送波成分は、最大で２０ＭＨｚの帯域幅を有することができる。それゆえ、各ユーザは、最大で５搬送波成分をサポートすることができる。ユーザ機器ごとに、一次搬送波成分（ＰＣＣ）、およびオプションで複数の二次搬送波成分（ＳＣＣ）が存在し、一次搬送波成分は常にアクティブ状態にある。別の関連する概念は、３ＧＰＰによって既に採用されているＰセルおよびＳセルであり、Ｐセルは、ダウンリンク／アップリンク一次搬送波成分対を意味し、Ｓセルは、ダウンリンク／アップリンク二次搬送波成分対または単一のダウンリンク搬送波を意味する。Ｐセルは、Ｒ８無線リソース制御接続プログラムによって確立され、一方、Ｓセルは、新たなＲ１０Ｓセル付加メッセージによって生成される。
【０００３】
公開されたＬＴＥ−ＡプロトコルのＲｅｌｅａｓｅ１０（Ｒ１０）では、ユーザ機器がＰセルにおいてのみランダム・アクセス手順を実行する。Ｒ１０のハンドオーバ手順の場合、ターゲットｅＮＢが、ハンドオーバ・コマンド（ＨＯコマンド）においてＰセルおよびＳセルの両方を指示するが、ユーザ機器は、指示されたＰセルにおいてのみランダム・アクセス手順を実行する。Ｐセルにおけるランダム・アクセスが成功した場合には、ハンドオーバが成功したと見なされる。Ｐセルにおけるランダム・アクセスが失敗する場合には、ハンドオーバは失敗したと見なされる。
【発明の概要】
【発明が解決しようとする課題】
【０００４】
リモート無線周波数ヘッド（ｒｅｍｏｔｅ  ｒａｄｉｏ  ｆｒｅｑｕｅｎｃｙ  ｈｅａｄ：ＲＲＨ）および周波数選択リピータの存在に起因して、Ｐセルおよび各Ｓセルの信号は異なる送信経路を通過する場合があり、それゆえ、異なるタイミング・アドバンス（ＴＡ）が必要とされる。ＲＡＮ５１において、全会一致で、複数のタイミング・アドバンスをサポートする必要があるとの合意に達している。
【０００５】
Ｒ１０の場合、ユーザ機器のランダム・アクセス手順はＰセルに制限される。Ｒ１０のハンドオーバ手順の場合、ユーザ機器はＰセルにおいてのみランダム・アクセスを実行する。キャリア・アグリゲーション（ＣＡ）シナリオにおいてタイミング整合を実現するためには、複数のタイミング・アドバンスをサポートする必要があるが、Ｒ１０における方式はそのような要件を満たすには不十分である。
【０００６】
結果として、本発明の目的は、上記に要件を満たすように、キャリア・アグリゲーション・シナリオにおけるハンドオーバのための方法を提供することである。
【課題を解決するための手段】
【０００７】
本発明の一実施形態では、基地局におけるハンドオーバのための方法が提供される。この方法は、ａ．  ユーザ機器にハンドオーバ・コマンドを送信するステップであって、ハンドオーバ・コマンドはＰセルと、Ｐセルとは異なるタイミング・アドバンスを必要とするＳセルとを指示するための情報を含む、送信するステップと、ｂ．  Ｐセル、およびＰセルとは異なるタイミング・アドバンスを必要とするＳセルにおいてユーザ機器がランダム・アクセスに成功するのに応じて、対応するタイミング・アドバンスを指示するための情報をユーザ機器に送信するステップとを含む。
【０００８】
本発明の更なる実施形態では、ユーザ機器におけるハンドオーバのための方法が提供される。この方法は、Ａ．  ターゲット基地局からハンドオーバ・コマンドを受信するステップであって、ハンドオーバ・コマンドは、Ｐセル、およびＰセルとは異なるタイミング・アドバンスを必要とするＳセルを指示するための情報を含む、受信するステップと、Ｂ．  Ｐセル、およびＰセルとは異なるタイミング・アドバンスを必要とするＳセルにおいてランダム・アクセスを実行するステップとを含む。
【０００９】
本発明のさらに別の実施形態では、基地局におけるハンドオーバのための第１のハンドオーバ装置が提供される。この装置は、ユーザ機器にハンドオーバ・コマンドを送信するための第１の送信ユニットであって、ハンドオーバ・コマンドは、Ｐセル、およびＰセルとは異なるタイミング・アドバンスを必要とするＳセルを指示するための情報を含む、第１の送信ユニットと、Ｐセル、およびＰセルとは異なるタイミング・アドバンスを必要とするＳセルにおいてユーザ機器がランダム・アクセスに成功するのに応じて、対応するタイミング・アドバンスを指示するための情報をユーザ機器に送信するための第２の送信ユニットとを備える。
【００１０】
本発明のさらに別の実施形態では、ユーザ機器におけるハンドオーバのための第２のハンドオーバ装置が提供される。この装置は、ターゲット基地局からハンドオーバ・コマンドを受信するためのハンドオーバ・コマンド受信ユニットであって、ハンドオーバ・コマンドはＰセルおよび、Ｐセルとは異なるタイミング・アドバンスを必要とするＳセルを指示する情報を含む、ハンドオーバ・コマンド受信ユニットと、Ｐセル、およびＰセルとは異なるタイミング・アドバンスを必要とするＳセルにおいてランダム・アクセスを実行するためのランダム・アクセス・ユニットとを備える。
【００１１】
本発明において提供される方法および装置によれば、キャリア・アグリゲーション・シナリオにおいて異なるタイミング・アドバンスを必要とするＰセルおよびＳセルをサポートすることができる。さらに、本発明の幾つかの実施形態では、基地局においてＰセルを変更するのをサポートすることによって、不要な接続再確立手順を回避するように、キャリア・アグリゲーション・シナリオにおいてハンドオーバの成功率が効果的に改善される。
【００１２】
本発明の他の特徴、目的および利点は、添付の図面とともに解釈される非限定的な実施形態に関する以下の詳細な説明からさらに明らかになるであろう。
【図面の簡単な説明】
【００１３】
【図１】モバイル通信システムにおける例示的なハンドオーバ・シナリオの概略図である。
【図２】本発明の一実施形態による、モバイル通信システムにおけるハンドオーバのための方法の流れ図である。
【図３】本発明の一実施形態による、基地局におけるハンドオーバのための第１のハンドオーバ装置のブロック図である。
【図４】本発明の一実施形態による、ユーザ機器におけるハンドオーバのための第２のハンドオーバ装置のブロック図である。
【発明を実施するための形態】
【００１４】
図面では、種々の図全体を通して、同一または類似の参照記号は対応する特徴を示す。
【００１５】
図１は、モバイル通信システムにおける例示的なハンドオーバ・シナリオの概略図を示す。図に示されるように、ユーザ機器３がハンドオーバ動作を実行することになり、基地局１がユーザ機器３の元のサービング基地局であり、一方、基地局２が、ユーザ機器３がハンドオーバを実行するためのターゲット基地局である。基地局はサイトと称すこともでき、基地局が異なるプロトコル標準規格に対応する異なる特殊な名称を有することは、当業者は理解すべきである。例えば、ＬＴＥシステムまたはＬＴＥ−Ａシステムでは、基地局は、ノードＢまたは発展型ノードＢ（ｅＮＢ）とも称される。本出願において称される基地局またはサイトは、例えば、ＬＴＥ−Ａシステムにおける発展型ノードＢであるが、それには限定されない。
【００１６】
図２は、本発明の一実施形態による、モバイル通信システムにおけるハンドオーバのための方法の流れ図を示す。その方法は通常、ユーザ機器とそのターゲット基地局との間で実行され、３つのステップ１１、１３、および１５を含む。以下において、その方法は、図２に従って、かつ図１に示されるユーザ機器３、その基地局２と関連して詳細に説明される。
【００１７】
ステップ１１において、基地局２がユーザ機器３にハンドオーバ・コマンドを送信し、ハンドオーバ・コマンドは、Ｐセルと、Ｐセルとは異なるタイミング・アドバンスを必要とするＳセルを指示するための情報を含む。
【００１８】
概して、ハンドオーバ・コマンドは、ＰセルおよびＳセルを指示する情報を含む。Ｐセルおよび各Ｓセルは、異なるリモート無線周波数ヘッド、周波数選択リピータまたは他のデバイス、モジュールにマッピングされる場合があるので、Ｐセルおよび各Ｓセルの信号は、異なる送信経路を経験する場合があり、それゆえ、タイミング調整を達成するのに、異なるタイミング・アドバンスが必要とされる。基地局２は、その構成に従って、どのＳセル（１つまたは複数）がＰセルと異なるタイミング・アドバンスを必要とするかを判断することができる。したがって、ハンドオーバ・コマンドにおいて、Ｐセルおよび各Ｓセルに加えて、どのＳセル（１つまたは複数）がＰセルと異なるタイミング・アドバンスを必要とするのかも指示される。
【００１９】
ユーザ機器３は、基地局２からハンドオーバ・コマンドを受信し、その後、ステップ１３において、ハンドオーバ・コマンドによって指示されるＰセル、およびＰセルとは異なるタイミング・アドバンスを必要とする１つまたは複数のＳセルにおいてランダム・アクセスを実行する。
【００２０】
オプションでは、ステップ１３において、ユーザ機器３は、Ｐセル、およびＰセルとは異なるタイミング・アドバンスを必要とする１つまたは複数のＳセルにおいて並行してランダム・アクセスを実行する。このようにして、ランダム・アクセス手順の終了を速めることができる。
【００２１】
また、オプションでは、ステップ１３において、ユーザ機器３は、Ｐセル、およびＰセルとは異なるタイミング・アドバンスを必要とする１つまたは複数のＳセルにおいて逐次的にランダム・アクセスを実行し、そのランダム・アクセスは最初にＰセルにおいて実行される。
【００２２】
ステップ１３を２つの方法において実行する利点は、ハンドオーバ手順において、Ｓセル初期化アップリンク同期が達成されることにある。したがって、ハンドオーバ後に、ランダム・アクセスを実行するのに成功した全てのＳセルが、良好に構成されているが、非アクティブ状態にあり、それはＬＴＥ−Ａ  Ｒ１０における対応する規則と一致する。それゆえ、ハンドオーバ手順のランダム・アクセスにおいて失敗したＰセルまたはＳセルが存在しない限り、ハンドオーバ後にアップリンク同期手順を開始する必要はない。ランダム・アクセスに失敗したＰセルまたはＳセルの場合、ユーザ機器３は、基地局２から物理ダウンリンク制御チャネル（ＰＤＣＣＨ）オーダ・シグナリングを受信した後に、ランダム・アクセスを再び実行することができるか、または自動的にランダム・アクセスを再び実行することができる。
【００２３】
任意の搬送波成分（対）においてランダム・アクセスを実行するのに成功した後に、基地局２は対応するタイミング・アドバンスを決定する。その後、ステップ１５において、基地局２は、ハンドオーバ・コマンドによって指示されるＰセル、およびＰセルとは異なるタイミング・アドバンスを必要とするＳセルにおいてユーザ機器３がランダム・アクセスに成功するのに応じて、対応するタイミング・アドバンスを指示するための情報をユーザ機器３に送信する。言い換えると、基地局２は、ランダム・アクセスに成功した全てのＰセルまたはＳセルの対応するタイミング・アドバンスをユーザ機器３に指示する。
【００２４】
ＬＴＥ−Ａ  Ｒ１０では、ランダム・アクセスがＰセルにおいてのみ実行されるので、Ｐセルにおけるランダム・アクセス手順の終了は、ハンドオーバの終了も意味する。しかしながら、本発明によって提案される技術的解決策では、ハンドオーバの終了は、以下の２つの定義によって定義することができる：
（ハンドオーバ終了の）第１の定義：ＰセルおよびＳセルの両方においてランダム・アクセスが終了し、失敗する。
（ハンドオーバ終了の）第２の定義：Ｐセルにおいてランダム・アクセスが終了し、少なくとも１つのＳセルにおいてランダム・アクセス手順が成功する。
【００２５】
本発明の一実施形態では、そのハンドオーバ方法は、以下のステップをさらに含む：Ｐセルにおいてユーザ機器３がランダム・アクセスに失敗し、少なくとも１つのＳセルにおいてランダム・アクセスに成功する場合には、基地局２は、Ｐセルを変更するか否かを判断する。
【００２６】
さらに、そのハンドオーバ方法は、以下のステップをさらに含む：Ｐセルを変更すると判断された場合には、基地局２は、新たなＰセルを指示するための無線リソース制御層シグナリングをユーザ機器３に送信する。概して、新たなＰセルは、ランダム・アクセスを実行するのに成功したＳセルのうちの１つとすべきである。同時に、基地局２は、物理アップリンク制御チャネル（ＰＵＣＣＨ）、半永続スケジュール（ｓｅｍｉ  ｐｅｒｓｉｓｔｅｎｔ  ｓｃｈｅｄｕｌｅ：ＳＰＳ）リソース等を含む、新たなＰセルに関連する専用リソースを構成する。オプションでは、これらのリソースの構成情報も、新たなＰセルを指示するための無線リソース制御層シグナリング内に含まれる。
【００２７】
このようにして、上記の解決策によれば、Ｐセルにおいてランダム・アクセスを実行するのに失敗した場合に、ハンドオーバの成功確率を高めるように、かつ不要な接続再確立手順を回避するように、ターゲット基地局はＰセルを変更できるようになる。
【００２８】
本発明の一実施形態では、上記のハンドオーバ方法は以下のステップをさらに含む：Ｐセルにおいてランダム・アクセスに成功するとき、ユーザ機器３はＰセルを通してハンドオーバ完了コマンドを送信する。
【００２９】
本発明の一実施形態では、上記のハンドオーバ方法は以下のステップをさらに含む：ＰセルおよびＳセルにおいて少なくとも１つのランダム・アクセスに成功するとき、ユーザ機器３は、ランダム・アクセスを実行するのに成功したＰセルまたはＳセルを通してハンドオーバ（ＨＯ）完了コマンドを送信する。具体的には、Ｐセルにおいてランダム・アクセスに成功するとき、ユーザ機器３はＰセルを通してハンドオーバ完了コマンドを送信することが好ましく、Ｐセルにおいてランダム・アクセスに失敗するが、少なくとも１つのＳセルにおいてランダム・アクセスに成功するとき、ユーザ機器３は、ランダム・アクセスを実行するのに成功したＳセルを通してハンドオーバ（ＨＯ）完了コマンドを送信する。
【００３０】
ＬＴＥ−Ａ  Ｒ１０におけるハンドオーバ手順の場合、Ｐセルにおけるランダム・アクセスの失敗はハンドオーバ失敗を意味する。しかしながら、本発明によって提案される技術的解決策では、ハンドオーバ失敗は以下の２つの定義によって定義することができる：
（ハンドオーバ失敗の）第１の定義：ＰセルおよびＳセルの両方においてランダム・アクセスに失敗する。
（ハンドオーバ失敗の）第２の定義：Ｐセルにおいてランダム・アクセスに失敗し、少なくとも１つのＳセルにおいてランダム・アクセスに成功するが、基地局がＰセルを変更しないと判断する。
【００３１】
ハンドオーバ失敗の第１の定義に対応する、本発明の一実施形態では、そのハンドオーバ方法は以下のステップをさらに含む：ハンドオーバ・コマンドによって指示される、Ｐセル、およびＰセルとは異なるタイミング・アドバンスを必要とするＳセルの両方においてランダム・アクセスに失敗するとき、ユーザ機器３は、無線リソース制御層接続の再確立手順を開始する。
【００３２】
ハンドオーバ失敗の第２の定義に対応する、本発明の別の実施形態では、そのハンドオーバ方法はさらに以下のことを含む：
−  ハンドオーバ・コマンドによって指示されるＰセルにおいてランダム・アクセスに失敗するとき、基地局２はＰセルを変更しないと判断し、無線リソース制御層接続を再確立するようにユーザ機器３に指示するための無線リソース制御層シグナリングをユーザ機器３に送信する。
−  基地局２から無線リソース制御層接続の再確立を指示するためのシグナリングを受信した後に、ユーザ機器３は、無線リソース制御層接続の再確立手順を開始する。
【００３３】
２つのハンドオーバ失敗のための上記の２つの解決策および連続動作は、不要な接続再確立手順を回避するように、かつ基地局が電力を維持し、Ｐセルを変更すると判断できるように、ハンドオーバの成功率を高めるのにも有用である。また、２つの解決策は、非衝突ベースランダム・アクセス（ｎｏｎ−ｃｏｎｔｅｎｔｉｏｎ  ｂａｓｅｄ  ｒａｎｄｏｍ  ａｃｃｅｓｓ）手順も取り扱う。例えば、ハンドオーバ・コマンドにおいて或るプリアンブルが指示される場合には、ユーザ機器は、最初に非競合ベースのランダム・アクセス手順を実行すべきである。
【００３４】
図３は、本発明の一実施形態による、基地局におけるハンドオーバのための第１のハンドオーバ装置のブロック図を示す。その図に示されるように、本実施形態における第１のハンドオーバ装置２０は、第１の送信ユニット２１と、第２の送信ユニット２２とを備える。第１のハンドオーバ装置２０は通常、図１に示される基地局２内のような基地局内に設置される。
【００３５】
第１の送信ユニット２１および第２の送信ユニット２２を用いて、上記のハンドオーバ方法のうちの、それぞれステップ１１および１５を実現する。
【００３６】
第１の送信ユニット２１は、ユーザ機器にハンドオーバ・コマンドを送信するためのユニットであり、そのハンドオーバ・コマンドは、Ｐセル、およびＰセルとは異なるタイミング・アドバンスを必要とするＳセルを指示するための情報を含む。
【００３７】
第２の送信ユニット２２は、Ｐセル、およびＰセルとは異なるタイミング・アドバンスを必要とするＳセルにおいてユーザ機器がランダム・アクセスに成功するのに応じて、対応するタイミング・アドバンスを指示するための情報をユーザ機器に送信するためのユニットである。
【００３８】
図４は、本発明の一実施形態による、ユーザ機器におけるハンドオーバのための第２のハンドオーバ装置のブロック図を示す。その図に示されるように、本実施形態における第２のハンドオーバ装置３０は、ハンドオーバ・コマンド受信ユニット３１と、ランダム・アクセス・ユニット３２とを備える。第２のハンドオーバ装置３０は通常、図１に示されるユーザ機器３内のようなユーザ機器内に設置される。
【００３９】
ハンドオーバ・コマンド受信ユニット３１は、上記のハンドオーバ方法のステップ１１に対応し、ランダム・アクセス・ユニットは、上記のハンドオーバ方法のステップ１３を実現するために用いられる。
【００４０】
ハンドオーバ・コマンド受信ユニット３１は、ターゲット基地局からハンドオーバ・コマンドを受信するためのユニットであり、そのハンドオーバ・コマンドは、Ｐセル、およびＰセルとは異なるタイミング・アドバンスを必要とするＳセルを指示する情報を含む。
【００４１】
ランダム・アクセス・ユニット３２は、Ｐセル、およびＰセルとは異なるタイミング・アドバンスを必要とするＳセルにおいてランダム・アクセスを実行するためのユニットである。
【００４２】
本発明の他の実施形態では、第１のハンドオーバ装置２０および第２のハンドオーバ装置３０は、上記のハンドオーバ方法における他のステップを実現するための対応するユニットをさらに備える。
【００４３】
本発明における各ユニットは、ハードウェアモジュールによって実現することができるか、ソフトウェアの機能モジュールによって実現することができ、ソフトウェア機能モジュールを組み込まれたハードウェアモジュールによって実現することもできることを当業者は理解すべきである。
【００４４】
上記の実施形態は、限定するものではなく、例示にすぎないことを当業者は理解すべきである。異なる実施形態における異なる技術的特徴を、有益な効果を達成するように組み合わせることができる。図面、説明および特許請求の範囲に基づいて、当業者は、開示される実施形態の他の変形形態を理解し、実現することができる。特許請求の範囲において、用語「〜を備える（含む）（ｃｏｍｐｒｉｓｉｎｇ」は、他のユニットまたはステップを除外しない、不定冠詞「１つの（ａ／ａｎ）」は複数を除外しない、用語「第１の」、「第２の」は、任意の特定の順序以外の名称を表すために用いられる。特許請求の範囲内の任意の参照記号は、保護範囲に対する制限と理解すべきではない。特許請求の範囲において現れる複数の部分の機能は、単一のハードウェアまたはソフトウェアモジュールによって実現することができ、或る特定の部分の機能は、複数の異なるハードウェアまたはソフトウェアモジュールによって実現することもできる。幾つかの技術的特徴が異なる従属請求項において現れる場合であっても、有益な効果を得るために、これらの技術的特徴を組み合わせることができないことを意味するものではない。
【図１】
0005848437.tif 000002
【図２】
0005848437.tif 000003
【図３】
0005848437.tif 000004
【図４】
0005848437.tif 000005